(57)【要約】【課題】駆動用トランジスタの移動度や寸法のばらつきが駆動電流に与える影響を低減可能な表示装置及びそのような表示装置の駆動方法を提供すること。【解決手段】本発明の表示装置１は、画素２Ｒ，２Ｇ，２Ｂが、選択用スイッチＴｒ６と、駆動用トランジスタＴｒ１と、表示素子２０と、第１コンデンサＣ１と、駆動用トランジスタＴｒ１のゲートにリセット信号を供給した状態における駆動用トランジスタＴｒ１のソースとドレインとの間の抵抗値を反映した補正信号を駆動用トランジスタＴｒ１のゲートに供給する補正回路Ｃ２，Ｔｒ３，Ｔｒ５とを具備したことを特徴とする。【選択図】    図１
2004191387.tif 000002
【特許請求の範囲】
【請求項１】
走査信号線と、前記走査信号線と交差した映像信号線と、電源配線と、前記走査信号線と前記映像信号線との交差部近傍に配置された画素とを具備し、前記画素は、
互いに対向した一対の電極とそれらの間に流れる電流に応じて光学特性が変化する光学層とを備えた表示素子と、
ソース及びドレインの一方が前記電源配線に接続されるとともに他方が前記一対の電極の一方に接続され且つゲートが前記映像信号線に接続された駆動用トランジスタと、
前記映像信号線と前記駆動用トランジスタのゲートとの間に介在し且つ前記走査信号線から供給される走査信号に応じて前記映像信号線と前記駆動用トランジスタのゲートとの間の導通／非導通を切り替える選択用スイッチと、
前記駆動用トランジスタのゲートと前記選択用スイッチとの間に介在した第１コンデンサと、
前記駆動用トランジスタのゲートにリセット信号を供給した状態における前記駆動用トランジスタのソースとドレインとの間の抵抗値を反映した補正信号を前記駆動用トランジスタのゲートに供給する補正回路とを具備したことを特徴とする表示装置。
【請求項２】
前記補正回路は、
前記駆動用トランジスタのゲートへの前記リセット信号の供給／非供給を切り替えるリセット信号供給制御用スイッチと、
前記駆動用トランジスタのソース及びドレインの他方と前記表示素子との間の導通／非導通を切り替える出力制御用スイッチと、
一方の電極が前記駆動用トランジスタのソース及びドレインの他方とゲートとに接続された第２コンデンサと、
前記第２コンデンサの一方の電極と前記駆動用トランジスタのソース及びドレインの他方との間の導通／非導通を切り替える補正信号供給制御用スイッチと、前記第２コンデンサの一方の電極と前記駆動用トランジスタのゲートとの間の導通／非導通を切り替える電荷分配用スイッチとを備えたことを特徴とする請求項１に記載の表示装置。
【請求項３】
走査信号線と、前記走査信号線と交差した映像信号線と、電源配線と、前記走査信号線と前記映像信号線との交差部近傍に配置された画素とを具備し、前記画素は、
互いに対向した一対の電極とそれらの間に流れる電流に応じて光学特性が変化する光学層とを備えた表示素子と、
ソース及びドレインの一方が前記電源配線に接続されるとともに他方が前記一対の電極の一方に接続され且つゲートが前記映像信号線に接続された駆動用トランジスタと、
前記映像信号線と前記駆動用トランジスタのゲートとの間に介在し且つ前記走査信号線から供給される走査信号に応じて前記映像信号線と前記駆動用トランジスタのゲートとの間の導通／非導通を切り替える選択用スイッチと、
前記駆動用トランジスタのゲートと前記選択用スイッチとの間に介在した第１コンデンサと、
前記駆動用トランジスタのゲートへのリセット信号の供給／非供給を切り替えるリセット信号供給制御用スイッチと、
前記駆動用トランジスタのソース及びドレインの他方と前記表示素子との間の導通／非導通を切り替える出力制御用スイッチと、
一方の電極が前記駆動用トランジスタのソース及びドレインの他方とゲートとに接続された第２コンデンサと、
前記第２コンデンサの一方の電極と前記駆動用トランジスタのソース及びドレインの他方との間の導通／非導通を切り替える補正信号供給制御用スイッチと、前記第２コンデンサの一方の電極と前記駆動用トランジスタのゲートとの間の導通／非導通を切り替える電荷分配用スイッチとを備えたことを特徴とする表示装置。
【請求項４】
前記第１及び第２コンデンサは前記駆動用トランジスタのゲートと前記選択用スイッチとの間にこの順に直列接続されたことを特徴とする請求項２または請求項３に記載の表示装置。
【請求項５】
前記リセット信号供給制御用スイッチは前記駆動用トランジスタのゲートと前記映像信号線との間に介在したことを特徴とする請求項２乃至請求項４の何れか１項に記載の表示装置。
【請求項６】
前記走査信号線と交差し且つ前記駆動用トランジスタのゲートに接続されたリセット信号線をさらに具備し、前記リセット信号供給制御用スイッチは前記駆動用トランジスタのゲートと前記リセット信号線との間に介在したことを特徴とする請求項２乃至請求項４の何れか１項に記載の表示装置。
【請求項７】
前記補正信号供給制御用スイッチの導通期間を変化させ得ることを特徴とする請求項２乃至請求項６の何れか１項に記載の表示装置。
【請求項８】
前記補正信号供給制御用スイッチの導通状態を制御する制御線をさらに具備するとともに、前記画素として表示色が互いに異なる複数種の画素を具備し、前記制御線は表示色毎に独立して設けられていることを特徴とする請求項２乃至請求項６の何れか１項に記載の表示装置。
【請求項９】
前記補正信号供給制御用スイッチの導通期間を表示色毎に変化させ得ることを特徴とする請求項８に記載の表示装置。
【請求項１０】
前記表示素子は有機ＥＬ素子であることを特徴とする請求項１乃至請求項９の何れか１項に記載の表示装置。
【請求項１１】
走査信号線と、前記走査信号線と交差した映像信号線と、電源配線と、前記走査信号線と前記映像信号線との交差部近傍に配置された画素とを具備し、前記画素は、互いに対向した一対の電極とそれらの間に流れる電流に応じて光学特性が変化する光学層とを備えた表示素子と、ソース及びドレインの一方が前記電源配線に接続されるとともに他方が前記一対の電極の一方に接続され且つゲートが前記映像信号線に接続された駆動用トランジスタと、前記映像信号線と前記駆動用トランジスタのゲートとの間に介在し且つ前記走査信号線から供給される走査信号に応じて前記映像信号線と前記駆動用トランジスタのゲートとの間の導通／非導通を切り替える選択用スイッチと、前記駆動用トランジスタのゲートと前記選択用スイッチとの間に介在した第１コンデンサとを具備した表示装置の駆動方法であって、
前記駆動用トランジスタのゲートにリセット信号を供給した状態における前記駆動用トランジスタのソースとドレインとの間の抵抗値を反映した補正信号を前記駆動用トランジスタのゲートに供給して前記駆動用トランジスタの特性を補正することを特徴とする表示装置の駆動方法。
【請求項１２】
前記駆動用トランジスタの特性の補正は、
前記駆動用トランジスタのゲートに前記リセット信号を供給した状態で一定時間の間に前記駆動用トランジスタのソースとドレインとの間を流れる電荷を前記補正信号として第２コンデンサの一方の電極に蓄積することと、
前記補正信号を前記第２コンデンサの一方の電極から前記駆動用トランジスタのゲートに分配することを含んだことを特徴とする請求項１１に記載の表示装置の駆動方法。
【発明の詳細な説明】
【０００１】
【発明の属する技術分野】
本発明は、表示装置及びその駆動方法に係り、特には、表示素子の光学特性をそれに流す電流により制御する表示装置及びその駆動方法に関する。
【０００２】
【従来の技術】
有機ＥＬ（エレクトロルミネッセンス）表示装置のように表示素子の光学特性をそれに流す駆動電流によって制御する表示装置では、駆動電流の設計値からのずれが各画素間で同一であることが望まれる。それゆえ、そのような表示装置でアクティブマトリクス駆動方式を採用した場合には、表示素子を駆動する駆動用トランジスタの特性が各画素間でほぼ同一であることが要求される。しかしながら、表示装置では、通常、トランジスタをガラス基板などの絶縁体上に形成するため、トランジスタ特性のばらつきを生じ易い。
【０００３】
この問題に対し、サーノフ研究所は図８に示す有機ＥＬ表示装置用の回路，所謂サーノフ回路，を用いた閾値補償を提案している（非特許文献１を参照のこと）。以下、この回路を用いた閾値補償について説明する。
【０００４】
サーノフ回路を用いた有機ＥＬ表示装置では、何れかの画素２を表示状態とするに際し、まず、出力制御用トランジスタＴｒ４を非導通状態とするとともに、補正用トランジスタＴｒ３を導通状態として、駆動用トランジスタＴｒ１のソース−ドレイン間に電流が流れなくなるまでコンデンサＣ１，Ｃ３に電荷を供給する。この状態では、駆動用トランジスタＴｒ１のドレイン−ゲート間は接続されているので、点Ａ電位は駆動用トランジスタＴｒ１の閾値Ｖｔｈとなる。なお、この間、走査信号線ドライバ３から走査信号線５に走査信号を供給して選択用トランジスタＴｒ６を導通状態とするとともに、映像信号線ドライバ４から映像信号線６にリセット信号Ｖｒｓｔを供給しておく。
【０００５】
以上の動作を終了したのち、補正用トランジスタＴｒ３を非導通状態とするとともに出力制御用トランジスタＴｒ４を導通状態とし、さらに、映像信号線ドライバ３から映像信号線５に映像信号Ｖｓｉｇを供給する。これにより、駆動用トランジスタＴｒ１のゲート電位は、ＶｒｓｔからＶｓｉｇへの変量と等しい量だけ閾値Ｖｔｈから変動する。その結果、その変動量に応じた駆動電流が、電源配線７からトランジスタＴｒ１，Ｔｒ４を介して有機ＥＬ素子２０に供給される。
【０００６】
このように、サーノフ回路によると、駆動電流に閾値Ｖｔｈが与える影響を排除することができる。したがって、画素２０間で駆動用トランジスタＴｒ１の閾値がばらついていたとしても、そのようなばらつきが有機ＥＬ素子２０に供給する駆動電流に与える影響を最小とすることができる。
【０００７】
しかしながら、駆動電流は、駆動用トランジスタＴｒ１の閾値だけでなく、その移動度や寸法などの影響も受ける。そのため、サーノフ回路によると、表示ムラが視認されなくなるまで発光均一性を改善することは難しい。
【０００８】
【非特許文献１】
Ｒ．Ｍ．Ａ．  Ｄａｗｓｏｎ，ｅｔ  ａｌ．，Ｐｒｏｃ．ＩＥＤＭ’９８，ｐｐ．８７５−８７８（１９９８）
【０００９】
【発明が解決しようとする課題】
本発明の目的は、駆動用トランジスタの素子特性のばらつきが駆動電流に与える影響を低減可能な表示装置及びそのような表示装置の駆動方法を提供することにある。
【００１０】
【課題を解決するための手段】
本発明の第１の側面によると、走査信号線と、前記走査信号線と交差した映像信号線と、電源配線と、前記走査信号線と前記映像信号線との交差部近傍に配置された画素とを具備し、前記画素は、互いに対向した一対の電極とそれらの間に流れる電流に応じて光学特性が変化する光学層とを備えた表示素子と、ソース及びドレインの一方が前記電源配線に接続されるとともに他方が前記一対の電極の一方に接続され且つゲートが前記映像信号線に接続された駆動用トランジスタと、前記映像信号線と前記駆動用トランジスタのゲートとの間に介在し且つ前記走査信号線から供給される走査信号に応じて前記映像信号線と前記駆動用トランジスタのゲートとの間の導通／非導通を切り替える選択用スイッチと、前記駆動用トランジスタのゲートと前記選択用スイッチとの間に介在した第１コンデンサと、前記駆動用トランジスタのゲートにリセット信号を供給した状態における前記駆動用トランジスタのソースとドレインとの間の抵抗値を反映した補正信号を前記駆動用トランジスタのゲートに供給する補正回路とを具備したことを特徴とする表示装置が提供される。
【００１１】
本発明の第２の側面によると、走査信号線と、前記走査信号線と交差した映像信号線と、電源配線と、前記走査信号線と前記映像信号線との交差部近傍に配置された画素とを具備し、前記画素は、互いに対向した一対の電極とそれらの間に流れる電流に応じて光学特性が変化する光学層とを備えた表示素子と、ソース及びドレインの一方が前記電源配線に接続されるとともに他方が前記一対の電極の一方に接続され且つゲートが前記映像信号線に接続された駆動用トランジスタと、前記映像信号線と前記駆動用トランジスタのゲートとの間に介在し且つ前記走査信号線から供給される走査信号に応じて前記映像信号線と前記駆動用トランジスタのゲートとの間の導通／非導通を切り替える選択用スイッチと、前記駆動用トランジスタのゲートと前記選択用スイッチとの間に介在した第１コンデンサと、前記駆動用トランジスタのゲートへのリセット信号の供給／非供給を切り替えるリセット信号供給制御用スイッチと、前記駆動用トランジスタのソース及びドレインの他方と前記表示素子との間の導通／非導通を切り替える出力制御用スイッチと、一方の電極が前記駆動用トランジスタのソース及びドレインの他方とゲートとに接続された第２コンデンサと、前記第２コンデンサの一方の電極と前記駆動用トランジスタのソース及びドレインの他方との間の導通／非導通を切り替える補正信号供給制御用スイッチと、前記第２コンデンサの一方の電極と前記駆動用トランジスタのゲートとの間の導通／非導通を切り替える電荷分配用スイッチとを備えたことを特徴とする表示装置が提供される。
【００１２】
本発明の第３の側面によると、走査信号線と、前記走査信号線と交差した映像信号線と、電源配線と、前記走査信号線と前記映像信号線との交差部近傍に配置された画素とを具備し、前記画素は、互いに対向した一対の電極とそれらの間に流れる電流に応じて光学特性が変化する光学層とを備えた表示素子と、ソース及びドレインの一方が前記電源配線に接続されるとともに他方が前記一対の電極の一方に接続され且つゲートが前記映像信号線に接続された駆動用トランジスタと、前記映像信号線と前記駆動用トランジスタのゲートとの間に介在し且つ前記走査信号線から供給される走査信号に応じて前記映像信号線と前記駆動用トランジスタのゲートとの間の導通／非導通を切り替える選択用スイッチと、前記駆動用トランジスタのゲートと前記選択用スイッチとの間に介在した第１コンデンサとを具備した表示装置の駆動方法であって、前記駆動用トランジスタのゲートにリセット信号を供給した状態における前記駆動用トランジスタのソースとドレインとの間の抵抗値を反映した補正信号を前記駆動用トランジスタのゲートに供給して前記駆動用トランジスタの特性を補正することを特徴とする表示装置の駆動方法が提供される。
【００１３】
なお、ここで、「接続」は電気的接続を意味する。すなわち、構成要素Ａと構成要素Ｂとが互いに接続されていると規定した場合、それらは、配線やトランジスタのソース−ドレイン間などの導体路及び／またはコンデンサを介して接続され得る。
【００１４】
第１の側面において、補正回路は、駆動用トランジスタのゲートへのリセット信号の供給／非供給を切り替えるリセット信号供給制御用スイッチと、駆動用トランジスタのソース及びドレインの他方と表示素子との間の導通／非導通を切り替える出力制御用スイッチと、一方の電極が駆動用トランジスタのソース及びドレインの他方とゲートとに接続された第２コンデンサと、第２コンデンサの一方の電極と駆動用トランジスタのソース及びドレインの他方との間の導通／非導通を切り替える補正信号供給制御用スイッチと、第２コンデンサの一方の電極と駆動用トランジスタのゲートとの間の導通／非導通を切り替える電荷分配用スイッチとを備えていてもよい。
【００１５】
第１及び第２の側面において、第１及び第２コンデンサは前記駆動用トランジスタのゲートと選択用スイッチとの間にこの順に直列接続されていてもよい。  第１及び第２の側面において、リセット信号供給制御用スイッチは駆動用トランジスタのゲートと映像信号線との間に介在していてもよい。
【００１６】
第１及び第２の側面に係る表示装置は、走査信号線と交差し且つ駆動用トランジスタのゲートに接続されたリセット信号線をさらに具備していてもよい。この場合、リセット信号供給制御用スイッチは駆動用トランジスタのゲートとリセット信号線との間に介在していてもよい。
第１及び第２の側面に係る表示装置は、補正信号供給制御用スイッチの導通期間を変化させ得るものであってもよい。
【００１７】
第１及び第２の側面に係る表示装置は、補正信号供給制御用スイッチの導通状態を制御する制御線をさらに具備していてもよい。この場合、上記表示装置は画素として表示色が互いに異なる複数種の画素を具備し、制御線は表示色毎に独立して設けられていてもよい。さらに、この場合、上記表示装置は、補正信号供給制御用スイッチの導通期間を表示色毎に変化させ得るものであってもよい。
第１及び第２の側面において、表示素子は有機ＥＬ素子であってもよい。
【００１８】
第３の側面において、駆動用トランジスタの特性の補正は、駆動用トランジスタのゲートにリセット信号を供給した状態で一定時間の間に駆動用トランジスタのソースとドレインとの間を流れる電荷を補正信号として第２コンデンサの一方の電極に蓄積することと、補正信号を第２コンデンサの一方の電極から駆動用トランジスタのゲートに分配することを含んでいてもよい。
【００１９】
【発明の実施の形態】
以下、本発明の実施形態について、図面を参照しながら詳細に説明する。なお、各図において、同様または類似する構成要素には同一の参照符号を付し、重複する説明は省略する。
【００２０】
図１は、本発明の第１の実施形態に係る表示装置の回路構成を概略的に示す図である。この表示装置１は、例えば、有機ＥＬ表示装置であり、発光色が赤，緑，青色の画素２Ｒ，２Ｇ，２Ｂを備えている。画素２Ｒ，２Ｇ，２Ｂは、基板３０上にマトリクス状に配置されており、この基板３０上には走査信号線ドライバ３及び映像信号線ドライバ４が設けられている。また、この基板３０上には、走査信号線ドライバ３に接続された走査信号線５及び制御線８乃至１１が図中横方向に延在するように設けられるとともに、映像信号線ドライバ４に接続された映像信号線６が図中縦方向に延在するように設けられている。さらに、この基板３０上には、電源配線７が図中横方向に延在するように設けられている。
【００２１】
画素２Ｒ，２Ｇ，２Ｂは、それぞれ、駆動用トランジスタＴｒ１、リセット信号供給制御用スイッチＴｒ２、補正信号供給制御用スイッチＴｒ３、出力制御用スイッチＴｒ４、電荷分配用スイッチＴｒ５、選択用スイッチＴｒ６、コンデンサＣ１，Ｃ２、及び表示素子２０を備えている。これらスイッチＴｒ２乃至Ｔｒ６は、例えば、薄膜トランジスタ（ＴＦＴ）であり、コンデンサＣ１，Ｃ２は、例えば、薄膜コンデンサである。また、駆動用トランジスタＴｒ１はここではＴＦＴで構成されている。
【００２２】
表示素子２０は、互いに対向した陽極及び陰極とそれらの間に流れる電流に応じて光学特性が変化する光学層とを備えている。ここでは、一例として、表示素子２０は、光学層として発光層を含んだ有機ＥＬ素子とする。また、ここでは、陽極は下部電極として設けられるとともに出力制御用スイッチＴｒ４を介して駆動用トランジスタＴｒ１に接続され、陰極は上部電極として設けられるとともに光学層を介して下部電極と対向配置されていることとする。
【００２３】
選択用スイッチＴｒ６は、例えば、ｎチャネルＴＦＴであり、そのゲートは走査信号線５に接続されている。スイッチＴｒ６のドレインは映像信号線６に接続されており、ソースはコンデンサＣ２の一方の電極に接続されている。
【００２４】
駆動用トランジスタＴｒ１は、例えば、ｐチャネルＴＦＴであり、そのゲートはコンデンサＣ１の一方の電極に接続されている。トランジスタＴｒ１のソースは電源配線７に接続されており、ドレインは出力制御用スイッチＴｒ４を介して有機ＥＬ素子２０の下部電極に接続されている。
【００２５】
なお、コンデンサＣ１，Ｃ２は、駆動用トランジスタＴｒ１のゲートと選択用トランジスタＴｒ６のソースとの間でこの順に直列に接続されており、ここでは、互いに等しい容量を有していることとする。また、有機ＥＬ素子２０の上部電極は、例えば、ＧＮＤに接続される。
【００２６】
出力制御用スイッチＴｒ４は、例えば、ｐチャネルＴＦＴであり、そのゲートは制御線８に接続されている。スイッチＴｒ４のソース及びドレインは駆動用トランジスタスイッチＴｒ１のドレインと有機ＥＬ素子２０の下部電極とにそれぞれ接続されている。
【００２７】
補正信号供給制御用スイッチＴｒ３は、例えば、ｐチャネルＴＦＴであり、そのゲートは制御線９に接続されている。スイッチＴｒ３のソースは、駆動用トランジスタＴｒ１のドレインに接続されている。また、スイッチＴｒ３のドレインは、コンデンサＣ２のコンデンサＣ１に接続された電極に接続されている。
【００２８】
リセット信号供給制御用スイッチＴｒ２は、例えば、ｐチャネルＴＦＴであり、そのゲートは制御線１０に接続されている。スイッチＴｒ２のソースは映像信号線６に接続され、ドレインは駆動用トランジスタＴｒ１のゲートに接続されている。
【００２９】
電荷分配用スイッチＴｒ５は、例えば、ｐチャネルＴＦＴであり、そのゲートは制御線１１に接続されている。スイッチＴｒ５のソースは、駆動用トランジスタＴｒ１のゲートに接続されている。また、スイッチＴｒ５のドレインは、コンデンサＣ２のコンデンサＣ１に接続された電極に接続されている。つまり、スイッチＴｒ５はコンデンサＣ１の両電極間に配置される。
【００３０】
本実施形態では、図１に示す表示装置１を例えば以下に説明する方法により駆動する。
図２は、図１に示す表示装置１の駆動方法の一例を概略的に示すタイミングチャートである。図２に示す駆動方法では、期間▲２▼乃至▲６▼で一水平周期を構成し、期間▲２▼乃至▲７▼で一垂直周期を構成する。
【００３１】
期間▲１▼は、発光行選択前の期間である。このとき、スイッチＴｒ２，Ｔｒ３，Ｔｒ５，Ｔｒ６は非導通状態にあり、出力制御用スイッチＴｒ４は導通状態にある。また、駆動用トランジスタＴｒ１は、１フレーム前に書き込んだ映像信号Ｖｓｉｇの大きさに対応した導通状態にあり、有機ＥＬ素子２０は発光している。
【００３２】
期間▲２▼は、第１補正期間である。ここでは、出力制御用スイッチＴｒ４を導電状態としたまま、スイッチＴｒ３を導通状態として、コンデンサＣ１及びコンデンサＣ２間の電位（点Ｂ電位）を有機ＥＬ素子２０の下部電極と同電位とする。
【００３３】
期間▲３▼は、第２補正期間である。ここでは、スイッチＴｒ３の導通状態を保持したまま、まず、出力制御用スイッチＴｒ４を非導通状態とする。こうすると、点Ｂ電位は上昇し、やがて、一定となる。その後、スイッチＴｒ２，Ｔｒ６を導通状態とする。このとき、映像信号線６には映像信号線ドライバ４からリセット信号Ｖｒｓｔを供給しておく。これにより、駆動用トランジスタＴｒ１のゲート電位（点Ａ電位）及びコンデンサＣ２のスイッチＴｒ６と接続する側の電極電位（点Ｃ電位）をＶｒｓｔとする。この時点から、駆動用トランジスタＴｒ１の素子特性を反映した補正信号の点Ｂへの供給動作が開始される。
【００３４】
期間▲４▼は、補正信号保持期間である。ここでは、所定時間経過後、スイッチＴｒ２，Ｔｒ３を非導通状態として、点Ｂへの補正信号の供給動作を終了する。こうして、コンデンサＣ１およびコンデンサＣ２に補正信号およびリセット信号の電位差が保持される。
【００３５】
期間▲５▼は、補正信号分配期間である。ここでは、引き続きスイッチＴｒ６を導通状態としたままスイッチＴｒ５を導通状態として、点Ａと点Ｂとの間で電荷を分配する。すなわち、点Ａと点Ｂとを短絡して、両点を同電位とする。
【００３６】
期間▲６▼は、書き込み期間である。ここでは、まず、スイッチＴｒ５を非導通状態とする。その後、映像信号線ドライバ４から映像信号線６に供給する信号をリセット信号Ｖｒｓｔから映像信号Ｖｓｉｇへと変化させる。これにより、点Ｃ電位は変化し、それに伴い、点Ａ電位及び点Ｂ電位も変化する。
【００３７】
このとき、点Ａにおいては、リセット信号から映像信号への変動分とほぼ等しい変動分で、分配補正信号から電位変動する。このため、駆動用トランジスタＴｒ１の素子特性によらず、所望の映像信号に対応した駆動電流を流すことが可能となる。
【００３８】
期間▲７▼は、発光期間である。ここでは、スイッチＴｒ６を非導通状態とすることにより、点Ａ乃至点Ｃ電位を保持する。さらに、スイッチＴｒ４を導通状態とする。これにより、駆動用トランジスタのゲート電位（点Ａ電位）により制御された電源配線とＧＮＤの電位差に対応した電流が有機ＥＬ素子２０へと供給される。
【００３９】
ところで、期間▲３▼においてスイッチＴｒ２を導通状態としてから期間▲４▼においてスイッチＴｒ３を非導通状態とするまでの時間ｔが十分に短ければ、その間に生じる点Ｂ電位の変量ΔＶｂは、下記等式（１）から下記等式（２）であらわすことができる。
【００４０】
Ｖ（ｔ）＝１／Ｃ×∫Ｉ（ｔ）ｄｔ    …（１）
ΔＶｂ＝１／Ｃ×Ｉｄｓ×ｔ    …（２）
すなわち、時間ｔが十分に短ければ、点Ｂ電位の変量ΔＶｂは、トランジスタＴｒ１のゲート電位をＶｒｓｔとした状態でトランジスタＴｒ１のソース−ドレイン間を流れる電流Ｉｄｓと時間ｔとに比例する。
【００４１】
電流Ｉｄｓは、駆動用トランジスタＴｒ１のソースとドレインとの間の抵抗値を反映している。また、この抵抗値は、駆動用トランジスタＴｒ１の素子特性，すなわち、駆動用トランジスタＴｒ１の閾値、移動度、及びサイズなど，に応じて異なる値である。したがって、点Ｂ電位の変量ΔＶｂは、駆動トランジスタＴｒ１のソースとドレインとの間の抵抗値を反映した補正信号として利用可能である。
【００４２】
そこで、本実施形態では、上記の通り、期間▲５▼において、点Ａと点Ｂとを短絡して、点Ｂから点Ａへと補正信号を分配する。すなわち、上記の補正信号を点Ｂから点Ａへと分配補正信号として供給する。そのため、分配後の点Ａ電位をＶａとすると、点Ｃ電位がＶｒｓｔからＶｓｉｇへと変化するのに応じ、点Ａ電位はＶｓｉｇ−Ｖｒｓｔ＋Ｖａへと変化する。したがって、本実施形態によると、閾値、移動度、及びサイズなどを含むトランジスタＴｒ１の特性によらず、所望の駆動電流を有機ＥＬ素子に供給することができる。すなわち、駆動用トランジスタＴｒ１の特性ばらつきが駆動電流に与える影響を低減することができ、表示ムラを抑制可能となる。
【００４３】
次に、本発明の第２の実施形態について説明する。
第２の実施形態に係る表示装置と第１の実施形態に係る表示装置とでは回路構成は同一であるが、第２の実施形態に係る表示装置は補正信号供給制御用スイッチＴｒ３の導通期間を変化させ得るように構成されている点で第１の実施形態に係る表示装置とは異なっている。
【００４４】
上記の等式（２）から明らかなように、点Ｂ電位の変量ΔＶｂは、電流ＩｄｓとコンデンサＣ１，Ｃ２の容量と時間ｔに依存する。そのため、時間ｔを一定とした場合、コンデンサＣ１，Ｃ２の容量にバラツキを生じると、点Ｂ電位の変量ΔＶｂに駆動用トランジスタＴｒ１の特性を十分に反映させることが難しくなることがある。例えば、コンデンサＣ１，Ｃ２の容量が設計値よりも小さいと、時間ｔが設計値と等しい条件では、スイッチＴｒ３を導通状態としている途中で点Ｂ電位の変化が飽和に達することがある。この場合、点Ｂ電位の変量ΔＶｂは電流Ｉｄｓを反映した値とはならない。これとは逆に、コンデンサＣ１，Ｃ２の容量が設計値よりも大きいと、時間ｔが設計値と等しい条件では、トランジスタＴｒ１の特性を補正するのに十分な大きさの点Ｂ電位変量ΔＶｂが得られないことがある。
【００４５】
これに対し、上記の表示装置１に時間ｔを調節可能な構成を採用すると、コンデンサＣ１，Ｃ２の容量が設計値からずれていたとしても、装置１の完成後に時間ｔを適宜調節することにより、トランジスタＴｒ１の特性を十分に反映しており且つＴｒ１の特性を補正するのに十分な大きさの点Ｂ電位変量ΔＶｂを得ることができる。
【００４６】
次に、本発明の第３の実施形態について説明する。
図３は、本発明の第３の実施形態に係る表示装置の回路構成を概略的に示す図である。
【００４７】
図１に示す表示装置１では、補正信号供給制御用スイッチＴｒ３の導通状態を制御する制御線９を発光色が赤、緑、青色の画素２Ｒ，２Ｇ，２Ｂ間で共用した。これに対し、図３に示す表示装置１では、画素２Ｒ，２Ｇ，２Ｂ毎にスイッチＴｒ３の導通状態を制御する制御線９Ｒ，９Ｇ，９Ｂを設けている。
【００４８】
ところで、駆動用トランジスタＴｒ１のサイズを画素２Ｒ，２Ｇ，２Ｂ間で異ならしめると、画素２Ｒ，２Ｇ，２Ｂ間で映像信号Ｖｓｉｇの大きさを同一としながらも、それらの間で駆動電流の大きさを異ならしめることができる。このような構造は、表示画面のホワイトバランスを調節する手段の１つとして利用可能である。
【００４９】
しかしながら、駆動用トランジスタＴｒ１のサイズを画素２Ｒ，２Ｇ，２Ｂ間で異ならしめた場合、点Ｂ電位の変量ΔＶｂが駆動用トランジスタＴｒ１の特性を補正する効果の大きさが画素２Ｒ，２Ｇ，２Ｂ間で異なることとがある。
【００５０】
これに対し、本実施形態では、上記の通り、画素２Ｒ，２Ｇ，２Ｂ毎にスイッチＴｒ３の導通状態を制御する制御線９Ｒ，９Ｇ，９Ｂを設ける。そのため、画素２Ｒ，２Ｇ，２Ｂ間で上記の時間ｔを異ならしめることができる。したがって、駆動用トランジスタＴｒ１のサイズを画素２Ｒ，２Ｇ，２Ｂ間で異ならしめた場合であっても、点Ｂ電位の変量ΔＶｂが駆動用トランジスタＴｒ１の特性を補正する効果の大きさを画素２Ｒ，２Ｇ，２Ｂ間でほぼ同一とすることができる。
【００５１】
次に、本発明の第４の実施形態について説明する。
上述の各実施例においては、映像信号線６により映像信号Ｖｓｉｇおよびリセット信号Ｖｒｓｔの供給を行った。これに対し本実施例においては、リセット信号Ｖｒｓｔ供給用の配線と映像信号線６とは別配線で設ける場合について説明する。
【００５２】
図４は、本発明の第４の実施形態に係る表示装置の回路構成を概略的に示す図である。また、図５は、図４に示す表示装置１の駆動方法の一例を概略的に示すタイミングチャートである。
【００５３】
図４に示す表示装置１は、リセット信号発生部１５とリセット信号線１６とリセット信号供給制御用スイッチＴｒ７と制御線１２とをさらに備えるとともに、リセット信号供給制御用スイッチＴｒ２のソースが映像信号線６ではなくリセット信号線１６に接続され、リセット信号制御用スイッチＴｒ７のソースがリセット信号線１６に、ドレインがコンデンサＣ２の映像信号線側電極に、ゲートが制御線１２に接続されていること以外は図１に示す表示装置１と同様の構造を有している。
【００５４】
このような構造を採用すると、例えば、図５に示すようにスイッチＴｒ６の導通／非導通期間を変更することにより、或る行の画素２Ｒ，２Ｇ，２Ｂに映像信号を書き込んでいる間に、次の行の画素２Ｒ，２Ｇ，２Ｂに対して駆動用トランジスタＴｒ１の特性補正を行うことができる。すなわち、或る行の書き込み期間［２］と次の行の特性補正期間［１］とを重ね合わせることができる。そのため、表示装置の高精細化により一水平周期が短くなった場合でも、特性補正動作と書き込み動作とに必要な時間を十分に確保し、良好な表示動作を行うことできる。
【００５５】
次に、本発明の第５の実施形態について説明する。
図６は、本発明の第５の実施形態に係る表示装置の回路構成を概略的に示す図である。図６に示す表示装置１では、図３を参照して説明した構造と図４を参照して説明した構造とを組み合わせている。そのため、第１の実施形態で説明した効果が得られるのに加え、第３及び第４の実施形態で説明した効果を得ることができる。
【００５６】
次に、本発明の第６の実施形態について説明する。
第６の実施形態に係る表示装置と第５の実施形態に係る表示装置とでは回路構成は同一であるが、第６の実施形態に係る表示装置は補正信号供給制御用スイッチＴｒ３の導通期間を変化させ得るように構成されている点で第５の実施形態に係る表示装置とは異なっている。すなわち、第６の実施形態では、第２乃至第４の実施形態で説明した技術を組み合わせている。そのため、本実施形態によると、第１の実施形態で説明した効果が得られるのに加え、第２乃至第４の実施形態で説明した効果を得ることができる。
【００５７】
次に、本発明の第７の実施形態について説明する。
図７は、本発明の第７の実施形態に係る表示装置の回路構成を概略的に示す図である。なお、図７では、１つの画素２のみを描いている。
【００５８】
本実施形態に係る表示装置は、コンデンサＣ１，Ｃ２及びスイッチＴｒ３，Ｔｒ５の接続形態が異なること以外は、第１の実施形態に係る表示装置１と同様の構造を有している。すなわち、本実施形態に係る表示装置では、コンデンサＣ２の一対の電極は駆動用トランジスタＴｒ１のゲートとスイッチＴｒ６のソースとにそれぞれ接続され、駆動用トランジスタＴｒ１のゲートにはスイッチＴｒ５のドレインが接続されている。また、スイッチＴｒ５のソースには、コンデンサＣ１の一方の電極とスイッチＴｒ３のドレインとが接続されており、スイッチＴｒ３のソースはトランジスタＴｒ１のドレインに接続されている。なお、コンデンサＣ１の他方の電極は、例えば、ＧＮＤ等の第３電源に接続する。
【００５９】
このような構造を採用すると、例えば、以下の方法により表示装置を駆動することができる。
【００６０】
すなわち、まず、スイッチＴｒ４を非導通状態とする。次に、スイッチＴｒ２，Ｔｒ５，Ｔｒ６を導通状態とするとともに、映像信号線６にリセット信号Ｖｒｓｔを供給する。その後、スイッチＴｒ５を非導通状態とする。これにより、点Ａ乃至点Ｃ電位をＶｒｓｔとする。なお、スイッチＴｒ５を非導通状態としたのちに映像信号線６に供給するリセット信号Ｖｒｓｔの大きさを変化させれば、点Ａ及び点Ｃ電位と点Ｂ電位とを異ならしめることができる。
【００６１】
次いで、スイッチＴｒ３を導通状態とし、所定時間経過後、スイッチＴｒ３を非導通状態とする。スイッチＴｒ３を導通状態としてから非導通状態とするまでの時間が十分に短ければ、第１の実施形態と同様に、スイッチＴｒ３を導通状態としてから非導通状態とするまでに生じる点Ｂ電位の変量ΔＶｂは、ゲートにリセット信号Ｖｒｓｔを供給した状態におけるトランジスタＴｒ１のソースとドレインとの間の抵抗値を反映した補正信号として利用可能である。
次に、スイッチＴｒ２を非導通状態とする。続いて、スイッチＴｒ５を導通状態として、点Ｂから点Ａへと補正信号を分配する。
【００６２】
補正信号の分配を完了したのち、スイッチＴｒ５を非導通状態とするか、或いは、スイッチＴｒ５を導通状態のままとする。その後、映像信号線６に供給する信号をリセット信号Ｖｒｓｔから映像信号Ｖｓｉｇへと変化させる。これにより、点Ｃ電位は変化し、それに伴い、点Ａ電位も変化する。さらに、スイッチＴｒ６を非導通状態として点Ｃ電位をＶｓｉｇに保持するとともに、スイッチＴｒ４を導通状態とする。以上のようにして、点Ａ電位と電源配線の電位との差に対応した電流が有機ＥＬ素子２０へと供給される。
このように、図７に示す構造を採用した場合においても、第１の実施形態で説明したのと同様の効果を得ることができる。
なお、第３電源を色毎に異ならせるよう設定してもよい。
【００６３】
以上説明した第１乃至第７の実施形態では、トランジスタＴｒ１及びスイッチＴｒ２乃至Ｔｒ５としてｐチャネルＴＦＴを使用し、スイッチＴｒ６としてｎチャネルＴＦＴを使用したが、使用するトランジスタやスイッチの種類は適宜変更可能である。また、第１乃至第７の実施形態では、表示装置１が有機ＥＬ表示装置である場合，すなわち、表示素子２０が有機ＥＬ素子である場合，を例に説明したが、表示装置１は有機ＥＬ表示装置でなくてもよい。例えば、表示装置１は、発光ダイオード表示装置や電界放出表示装置などであってもよい。
【００６４】
このように、駆動用トランジスタのゲート端子に駆動用トランジスタの特性情報を有した電圧を保持し、このソース−ドレイン電流の制御を映像信号の基準信号からの変動量で行うため、駆動用トランジスタの素子特性によらず映像信号に応じた表示動作を行うことができる。
【００６５】
【発明の効果】
以上説明したように、本発明では、駆動用トランジスタの移動度や寸法のばらつきが駆動電流に与える影響を低減可能な表示装置及びそのような表示装置の駆動方法が提供される。
【図面の簡単な説明】
【図１】本発明の第１の実施形態に係る表示装置の回路構成を概略的に示す図。
【図２】図１に示す表示装置の駆動方法の一例を概略的に示すタイミングチャート。
【図３】本発明の第３の実施形態に係る表示装置の回路構成を概略的に示す図。
【図４】本発明の第４の実施形態に係る表示装置の回路構成を概略的に示す図。
【図５】図４に示す表示装置の駆動方法の一例を概略的に示すタイミングチャート。
【図６】
本発明の第５の実施形態に係る表示装置の回路構成を概略的に示す図。
【図７】
本発明の第７の実施形態に係る表示装置の回路構成を概略的に示す図。
【図８】
従来の有機ＥＬ表示装置の回路構成を概略的に示す図。
【符号の説明】
１…表示装置
２，２Ｒ，２Ｇ，２Ｂ…画素
３…走査信号線ドライバ
４…映像信号線ドライバ
５…走査信号線
６…映像信号線
７…電源配線
８…制御線
９，９Ｒ，９Ｇ，９Ｂ…制御線
１０…制御線
１１…制御線
１２…制御線
１５…リセット信号発生部
１６…リセット信号線
２０…表示素子
３０…基板
Ｔｒ１乃至Ｔｒ７…トランジスタ
Ｃ１，Ｃ２…コンデンサ
【図１】
2004191387.tif 000003
【図２】
2004191387.tif 000004
【図３】
2004191387.tif 000005
【図４】
2004191387.tif 000006
【図５】
2004191387.tif 000007
【図６】
2004191387.tif 000008
【図７】
2004191387.tif 000009
【図８】
2004191387.tif 000010